(57)【要約】      （修正有）【課題】洗浄時には十分に力を入れることができ、強固な汚れを十分に落とすことができるとともに、アルミニウム等の傷つきやすい食器等も傷つけることなく使用できる洗浄用具を提供する。【解決手段】多孔性の軟質合成樹脂発泡体で形成されたスポンジ部２と、スポンジ部２内に形成された収納部２１と、収納部２１に収納され、硬質の材質で形成された硬質タワシ部３と、収納部２１に硬質タワシ部３を収納した状態で、スポンジ部２から収納部２１へ挿通され且つ収納部２１に収納された硬質タワシ部３を貫通して、スポンジ部２に係合され、硬質タワシ部３を収納部２１内に固定する係合部とを備える。【選択図】図１
0003213197.tif 000002
【実用新案登録請求の範囲】
【請求項１】
多孔性の軟質合成樹脂発泡体で形成されたスポンジ部と、
前記スポンジ部内に形成された収納部と、
前記収納部に収納され、硬質の材質で形成された硬質タワシ部と、
前記収納部に前記硬質タワシ部を収納した状態で、前記スポンジ部から前記収納部へ挿通され且つ前記収納部に収納された前記硬質タワシ部を貫通して、スポンジ部に係合され、前記硬質タワシ部を収納部内に固定する係合部と
を備えることを特徴とする洗浄用具。
【請求項２】
前記硬質タワシ部は、螺旋状のステンレス材を丸めて形成したステンレスタワシであることを特徴とする請求項１に記載の洗浄用具。
【請求項３】
前記収納部は、前記スポンジ部内に埋入されており、
前記スポンジ部表面には、埋入された前記収納部に連通し、開閉可能な切り込みであるスリットが形成されている
ことを特徴とする請求項１又は２に記載の洗浄用具。
【請求項４】
前記収納部は、前記スポンジ部の擦洗面以外の面に開口を有する凹部であることを特徴とする請求項１又は２に記載の洗浄用具。
【請求項５】
前記係合部は、ナイロン又は細糸状の金属であり、縫合することによって前記硬質タワシ部を前記スポンジ部に係合させることを特徴とする請求項１乃至４のいずれかに記載の洗浄用具。
【請求項６】
前記係合部は、形状記憶合金であり、所定の温度に応じて前記硬質タワシ部に挿通された部分が屈曲されることを特徴とする請求項１乃至５のいずれかに記載の洗浄用具。
【請求項７】
前記係合部は前記収納部内で直交するように一対として設けられていることを特徴とする請求項１乃至６のいずれかに記載の洗浄用具。
【考案の詳細な説明】
【技術分野】
【０００１】
本考案は、例えば、フライパンや食器、キッチン等を洗浄又は清掃する時に使用する洗浄用具に関する。
【背景技術】
【０００２】
一般的に食器の洗浄や、キッチン、風呂場若しくはトイレ等の清掃に使用される洗浄具としては、連続発泡により吸水湿性を有するスポンジタワシや、ステンレススチール繊維をまるめて形成された所謂ステンレスタワシが知られている。ところで、従来の金属タワシでは、素材が金属であるため、液体洗剤及び研磨材入り洗剤の保持能力が低く、洗浄中に何度も洗剤を補給しなければならず、洗剤使用量の無駄が多かった。
【０００３】
また、上記のスポンジタワシでは、柔らかすぎるため、洗浄時に力が入れにくく、強固に付着した汚れを落としにくいという問題があった。他方、ステンレスタワシでは、ステンレス繊維が硬いことから、アルミニウム等の傷つきやすい金属には使用することができず、その使用する場所が限られてしまうと言う問題もあった。
【０００４】
これに対して、食器洗浄用のソフトスポンジの片面に開口部を設け、この開口部に金属タワシを挿入した焦げ落とし用スポンジが提案されている（例えば特許文献１参照）。この特許文献１に開示されたスポンジでは、金属タワシ部分がソフトスポンジによって覆われているので、従来のスポンジと較べれば、持ちやすくて力が入れやすく、コップや漆器のように傷をつけてはいけないものにも用いることができる。
【先行技術文献】
【特許文献】
【０００５】
【特許文献１】特開２００５−１３１４１８号公報
【考案の概要】
【考案が解決しようとする課題】
【０００６】
しかしながら、上記引用文献に開示された焦げ落とし用スポンジでは、ソフトスポンジ片面の開口部に金属タワシを挿入して固定する構成であるため、金属タワシが開口部内でズレてしまい、洗浄時では十分に力を入れることができず、強固な汚れを十分に落とすことができないという問題があった。
【０００７】
本考案は上記の点に鑑みなされたもので、洗浄時には十分に力を入れることができ、強固な汚れを十分に落とすことができるとともに、アルミニウム等の傷つきやすい食器等も傷つけることなく使用できる洗浄用具を提供することを目的とする。
【課題を解決するための手段】
【０００８】
上記課題を解決するために、本考案は、多孔性の軟質合成樹脂発泡体で形成されたスポンジ部と、スポンジ部内に形成された収納部と、収納部に収納され、硬質の材質で形成された硬質タワシ部と、収納部に硬質タワシ部を収納した状態で、スポンジ部から収納部へ挿通され且つ収納部に収納された硬質タワシ部を貫通して、スポンジ部に係合され、硬質タワシ部を収納部内に固定する係合部とを備える。
【０００９】
上記考案において、硬質タワシ部は、螺旋状のステンレス材を丸めて形成したステンレスタワシであることが好ましい。また、上記考案において、収納部は、スポンジ部内に埋入されており、スポンジ部表面には、埋入された収納部に連通し、開閉可能な切り込みであるスリットが形成されていることが好ましい。さらに、上記考案において、収納部は、スポンジ部の擦洗面以外の面に開口を有する凹部であることが好ましい。
【００１０】
上記考案において、係合部は、ナイロン又は細糸状の金属であり、縫合することによって硬質タワシ部をスポンジ部に係合させることが好ましい。また、上記考案において、係合部は、形状記憶合金であり、所定の温度に応じて硬質タワシ部に挿通された部分が屈曲されることが好ましい。さらに、上記考案において、係合部は収納部内で直交するように一対として設けられていることが好ましい。
【考案の効果】
【００１１】
以上述べたように、この考案によれば、洗浄時には十分に力を入れることができ、強固な汚れを十分に落とすことができるとともに、アルミニウム等の傷つきやすい食器等も傷つけることなく使用できる。詳述すると、本考案によれば、柔らかくフレキシブルな素材を用いることができ、その結果、廉価に製造することができる。また、フレキシブルであることから、コップ等の底が深いものにも使用することができる。さらに、本考案では、中心に硬質タワシ部を配置することにより、泡が立ちやすくなるとともに、泡が長続きするため、洗剤の節約にもなり、ほぼ１回の洗浄とその後のすすぎで十分に洗浄効果を得ることができ、作業の効率化、スピード化を図れる。
【図面の簡単な説明】
【００１２】
【図１】実施形態に係る洗浄用具の外観を示す斜視図である。
【図２】実施形態に係る洗浄用具の外観を示す上面図である。
【図３】実施形態に係る洗浄用具を分解して示す斜視図である。
【図４】変更例に係る洗浄用具の外観を示す斜視図である。
【図５】変更例に係る洗浄用具の外観を示す上面図である。
【図６】変更例に係る洗浄用具の外観を示す側面図である。
【図７】変更例に係る洗浄用具を分解して示す斜視図である。
【図８】変更例に係る洗浄用具の外観を示す上面図である。
【図９】変更例に係る洗浄用具の外観を示す上面図である。
【図１０】変更例に係る洗浄用具の外観を示す上面図である。
【考案を実施するための形態】
【００１３】
（洗浄用具の構成）
以下に添付図面を参照して、本考案に係る洗浄用具の実施形態を詳細に説明する。図１は、本実施形態に係る洗浄用具の外観を示す斜視図であり、図２は、その正面図である。図１及び図２に示すように、本実施形態に係る洗浄用具１は、食器の洗浄や、キッチン、風呂場若しくはトイレ等の清掃に使用される洗浄用具であり、矩形状のスポンジ部２を基体として、その中央に形成された収納部２１内に、ステンレススチール製の硬質タワシ部３が係合された概略構成となっている。
【００１４】
上記スポンジ部２は、吸水性を有する軟質の素材で形成された部位であり、多孔性の軟質合成樹脂発泡体や海綿状セル構造、極細繊維で構成されたスポンジで形成することができる。このスポンジ部２の素材としては、例えば、ナイロン不織布、発泡ウレタン、ポリエステル不織布、ポリウレタンフォーム等の合成樹脂製、又は、麻、海綿等の天然繊維で形成することができ、外表をポリエステルネットで覆うなどをしてもよい。なお、スポンジ部２の形状を本実施形態では矩形状としたが、例えば、水平断面が円形、楕円形、星型、花形、キャラクターの形状としたり、天然海綿素材のように不定型であってもよく、さらに、外表面に凹凸を形成したり、不織布等の他の素材を貼り合わせたハイブリッド構造としてもよい。
【００１５】
硬質タワシ部３は、前記収納部に収納され、硬質の材質で形成されており、本実施形態では、ステンレススチール繊維をまるめて球状に形成されたタワシを採用している。この硬質タワシとしては、ステンレススチール繊維の他、スポンジ部２の素材よりも硬質な素材或いは硬質な構造の材質であれば、例えば、アルミネットのようなアルミ蒸着加工済のポリエステルや、ナイロン・ポリエステル又はアガベ・ポリエステル製の不織布、パーム繊維、サイザル麻、カルカヤ根或いは棕櫚繊維などの天然植物繊維等を用いて形成することができる。なお、この硬質タワシ部３の形状は、本実施形態では球状としたが、例えば、矩形としたり、水平断面を円形、楕円形、星型、花形、キャラクターの形状としたり、天然海綿素材のように不定型としてもよい。
【００１６】
上記収納部２１は、スポンジ部２内に形成された空間であり、図１や図２に示した例では、スポンジ部２の擦洗面以外の面である上面２ａに開口を有する凹部として形成されている。この収納部２１の上部開口から硬質タワシ部３を収納する。この収納部２１は、同図に示した例では、円形の開口を上面２ａに形成された筒状の凹部をなしているが、この開口の形状も、硬質タワシ部３の形状や種類に応じて四角形や星型などの形にすることができる。
【００１７】
上記係合部は、収納部２１に硬質タワシ部３を収納した状態で、スポンジ部２から収納部２１へ挿通され且つ収納部２１に収納された硬質タワシ部３を貫通して、スポンジ部２に係合され、硬質タワシ部３を収納部２１内に固定する手段である。本実施形態に係る係合部４は、ナイロン又は細糸状の金属であり、硬質タワシ部３をスポンジ部２に縫合することによって両者を係合させる。
【００１８】
（洗浄用具の製造方法）
以上の構成を有する洗浄用具１は、以下のような方法により製造することができる。図３は、本実施形態に係る洗浄用具１の製造手順を示す説明図である。
【００１９】
本実施形態に係る洗浄用具１は、矩形状のスポンジ部２を基体として、その中央に収納部２１を形成し、硬質タワシ部３を係合して固定することで製造される。この収納部２１は、基体となるスポンジ部２を樹脂発泡によって形成するときに一体的に形成される。このような収納部２１の上部開口から硬質タワシ部３を収納し、ナイロン又は細糸状の係合部４の一対の挿通部分４２，４２を、スポンジ部２の外表面から収納部２１内へ挿通する。この係合部４は、コの字状に折り曲げることによって、中央部分の接続部４１の両端に、，挿通部分４２，４２が形成される。挿通部分４２，４２をスポンジ部２に挿通することにより、接続部４１がスポンジ部２の側面に当接される。
【００２０】
そして、収納部２１内において、収納部２１に収納された硬質タワシ部３に挿通部分４２，４２を貫通させるとともに、反対側のスポンジ部２にさらに挿通して係合させる。次いで、スポンジ部２の反対側の側面において、一対の挿通部分４２，４２を相互に接合して、硬質タワシ部３を収納部２１内に固定する。この一対の挿通部分４２，４２相互の接合方法としては、ナイロン等の合成樹脂であれば、熱溶着や接着剤による接着、或いは結んで緊結する等が挙げられ、金属であれば、捩って緊結したりなどが挙げられる。このように一対の挿通部分４２，４２を接合することによって、反対側側面にも接続部４１が形成され、両側側面の接続部４１，４１により挿通部分４２，４２が固定され、硬質タワシ部３がスポンジ部２に縫合されて、スポンジ部２及び硬質タワシ部３の両者が係合される。
【００２１】
（変更例）
なお、上述した実施形態の説明は、本考案の一例である。このため、本考案は上述した実施形態に限定されることなく、本考案に係る技術的思想を逸脱しない範囲であれば、設計等に応じて種々の変更が可能である。
【００２２】
上述した実施形態では、収納部２１は、スポンジ部２上面に開口を有する凹部としたが、例えば図４〜図６に示すように、収納部２２をスポンジ部２内に埋入させた形態とし、スポンジ部２表面には、埋入された収納部２２に連通するスリット２２ａを形成するようにしてもよい。このスリット２２ａは、図７に示すように、押し広げることで開閉が可能な切り込みであり、このスリット２２ａを押し広げて開口させることによって、埋入された収納部２２内へ硬質タワシ部３を収納することができる。この場合にも、収納部２２に収納された硬質タワシ部３に係合部４の挿通部分４２，４２を貫通させて、スポンジ部２に係合させる。
【００２３】
さらに、例えば、係合部４を、図８及び図９に示すように、形状記憶合金で形成し、所定の温度に応じて、挿通部分４５，４５の硬質タワシ部３に挿通される部分４５ａ，４５ａが屈曲されるようにしてもよい。これにより、係合部４をスポンジ部２に挿通するときには、挿通部分４５，４５をまっすぐに伸ばしてスポンジに刺し通しやすくし、所定の温度、例えば、水で冷やす、或いはお湯で温めるなどすることにより、硬質タワシ部３に挿通される部分４５ａ，４５ａを屈曲させる。これにより、係合部４を挿通する作業を容易なものとするとともに、使用の際に水で冷やされたり、お湯で温められることにより、部分４５ａ，４５ａが硬質タワシ部３に絡み合うようになり、より強固にスポンジ部２及び硬質タワシ部３の両者が係合される。
【００２４】
また、上記実施形態では、係合部４を一つだけ設けるようにしたが、例えば図１０に示すように、係合部を、収納部２１内で直交するように２つ一組として設けてもよい。これによれば、一対の係合部４，４を直行させて挿通することにより、それぞれの接続部４１，４１及び４３，４３と、挿通部分４２，４２及び４４，４４とによって、縦横に硬質タワシ部３が収納部２１内に縫い付けられて、より強固にスポンジ部２及び硬質タワシ部３の両者が係合される。
【００２５】
（作用・効果）
以上述べたように、本実施形態に係る洗浄用具１によれば、洗浄時には十分に力を入れることができ、強固な汚れを十分に落とすことができるとともに、アルミニウム等の傷つきやすい食器等も傷つけることなく使用できる。詳述すると、本実施形態に係る洗浄用具１によれば、スポンジ部２には柔らかくフレキシブルな素材を用いることができ、その結果、廉価に製造することができる。また、スポンジ部２は、フレキシブルであることから、コップ等の底が深いものにも使用することができる。さらに、中心に硬質タワシ部３を配置することにより、泡が立ちやすくなるとともに、泡が長続きするため、洗剤の節約にもなり、ほぼ１回の洗浄とその後のすすぎで十分に洗浄効果を得ることができ、作業の効率化、スピード化を図れる。
【符号の説明】
【００２６】
１…洗浄用具
２…スポンジ部
２ａ…上面
３…硬質タワシ部
４…係合部
２１，２２…収納部
２２ａ…スリット
４１…接続部
４２…挿通部分
４５，４５…挿通部分（形状記憶合金）
【図１】
0003213197.tif 000003
【図２】
0003213197.tif 000004
【図３】
0003213197.tif 000005
【図４】
0003213197.tif 000006
【図５】
0003213197.tif 000007
【図６】
0003213197.tif 000008
【図７】
0003213197.tif 000009
【図８】
0003213197.tif 000010
【図９】
0003213197.tif 000011
【図１０】
0003213197.tif 000012
【手続補正書】
【提出日】平成29年8月25日(2017.8.25)
【手続補正１】
【補正対象書類名】実用新案登録請求の範囲
【補正対象項目名】全文
【補正方法】変更
【補正の内容】
【実用新案登録請求の範囲】
【請求項１】
多孔性の軟質合成樹脂発泡体で形成されたスポンジ部と、
前記スポンジ部内に形成された収納部と、
前記収納部に収納され、硬質の材質で形成された硬質タワシ部と、
前記収納部に前記硬質タワシ部を収納した状態で、前記スポンジ部から前記収納部へ挿通され且つ前記収納部に収納された前記硬質タワシ部を貫通して、スポンジ部に係合され、前記硬質タワシ部を収納部内に固定する係合部と
を備えることを特徴とする洗浄用具。
【請求項２】
前記硬質タワシ部は、螺旋状のステンレス材を丸めて形成したステンレスタワシであることを特徴とする請求項１に記載の洗浄用具。
【請求項３】
前記収納部は、前記スポンジ部内に埋入されており、
前記スポンジ部表面には、埋入された前記収納部に連通し、開閉可能な切り込みであるスリットが形成されている
ことを特徴とする請求項１又は２に記載の洗浄用具。
【請求項４】
前記収納部は、前記スポンジ部の擦洗面以外の面に開口を有する凹部であることを特徴とする請求項１又は２に記載の洗浄用具。
【請求項５】
前記係合部は、ナイロン又は細糸状の金属であり、縫合することによって前記硬質タワシ部を前記スポンジ部に係合させることを特徴とする請求項１乃至４のいずれかに記載の洗浄用具。
【請求項６】
前記係合部は、形状記憶合金であり、所定の温度に応じて前記硬質タワシ部に挿通された部分が屈曲されることを特徴とする請求項１乃至４のいずれかに記載の洗浄用具。
【請求項７】
前記係合部は前記収納部内で直交するように一対として設けられていることを特徴とする請求項１乃至６のいずれかに記載の洗浄用具。